(57)【要約】  【課題】周囲環境条件によらず、冷凍室の温度を一定温度に保つことができる冷蔵庫の運転装置を提供することを目的とする。  【解決手段】智能設定検出手段２０より智能設定を検出し、運転率演算測定手段２１より冷蔵庫運転率の演算を行う。庫内送風機回転数決定手段２２は、庫内回転数を可変させ決定された回転数にて、庫内送風機１７を駆動する庫内送風機駆動手段１８からなり、圧縮機回転数決定手段２３は、圧縮機回転数を可変させ決定された回転数にて、圧縮機７を駆動する圧縮機駆動手段１９を備え、智能設定が開始されると、運転率に応じて、外気温度別に設定温度を補正し、圧縮機回転数と庫内送風機の回転数を可変させることで、冷凍室の温度を一定温度に保つことができる。【選択図】図１
2005249327.tif 000002
【特許請求の範囲】
【請求項１】
冷凍室温度を検出する冷凍室温度検出手段と、冷凍室温度を設定する冷凍室温度設定手段と、外気温度を検出する外気温度検出手段と、智能設定を検出する智能設定検出手段と、運転率の算出を行う運転率演算測定手段と、前記外気温度検出手段と前記運転率算出手段とから冷凍室設定温度を補正する冷凍室温度設定補正手段と、圧縮機の回転数を指令する圧縮機回転数決定手段と、圧縮機回転数決定手段より決定された回転数にて圧縮機を駆動する圧縮機駆動手段と、庫内送風機の回転数を指令する庫内送風機回転数決定手段と、庫内送風機回転数決定手段より決定された回転数にて庫内送風機を駆動する庫内送風機駆動手段を備え、智能設定検出手段より智能設定を検出し、運転率演算測定手段と外気温度検出手段から運転率と外気温度に応じて、冷凍室温度設定補正手段により冷凍室設定温度の補正を行い、圧縮機回転数決定手段と庫内送風機決定手段により圧縮機回転数と庫内送風機回転数の可変を行い圧縮機と庫内送風機の駆動を行うようにした冷蔵庫の制御装置。
【請求項２】
ドア開閉の検出を行うドア開閉検出手段と、霜取りヒーターの通電を行う霜取りヒーター駆動手段と、霜取り周期を補正する霜取りヒーター周期補正手段と、霜取りヒーターの周期を決定する霜取りヒーター周期決定手段と、圧縮機の積算時間を測定する圧縮機積算測定手段とを備え、智能設定検出手段より智能設定を検出し、智能設定中にドア開閉検出手段からドア開回数に応じて、霜取り周期補正手段より霜取り周期の補正を行い、霜取り周期決定手段とし、圧縮機積算時間測定手段と霜取り周期決定手段を比較し、霜取り周期駆動手段により霜取りヒーターの通電を行うようにした請求項１に記載の冷蔵庫の制御装置。
【請求項３】
圧縮機の連続運転時間を測定する圧縮機運転時間測定手段と、機械室送風機を回転数制御を行う機械室送風機回転数決定手段と、機械室送風機を駆動する機械室送風機駆動手段を備え、智能設定検出手段より智能設定を検出し、圧縮機運転時間測定手段より、圧縮機の連続運転時間が所定時間以上になると機械室送風機回転数手段と庫内送風機回転数駆動手段により回転数を上げ、機械室送風機駆動手段、庫内送風機駆動手段により機械室、庫内送風機を駆動し、庫内送風機を高速回転させて庫内冷却を図り、機械室送風機を高速回転するようにした請求項１に記載の冷蔵庫の制御装置。
【請求項４】
製氷時間の補正を行う製氷時間補正手段により製氷時間を決定する製氷時間決定手段と、製氷開始温度の補正を行う製氷温度補正手段により製氷温度を決定製氷温度決定手段と、製氷モーターを駆動させる製氷モーター駆動手段と、給水量の補正を行う給水量補正手段により給水量を決定する給水量決定手段と、給水モーターを駆動する給水モーター駆動手段とを備え、智能設定手段より智能設定を検出し、製氷時間補正手段より製氷時間を短縮し、製氷温度補正手段より製氷温度を引上げて、給水量補正手段より給水量を減らすようにした請求項１に記載の冷蔵庫の制御装置。
【請求項５】
冷凍室温度が冷凍室設定温度に到達すると、操作基板の電源供給を遮断する操作基板電源供給手段と、操作基板の電源供給を遮断している時間を測定する電源停止測定手段とを備え、智能設定検出手段より智能設定を検出し、智能設定中に冷凍室温度が冷凍室設定温度以下になると、操作基板電源供給手段により操作基板の電源供給を停止し、電源停止測定手段により停止時間の測定を行い、操作基板の電源供給停止と、圧縮機の駆動停止を行うようにした請求項１に記載の冷蔵庫の制御装置。
【請求項６】
智能設定検出手段により智能設定が設定されると、智能設定の状態を記憶する智能設定記憶手段と、智能設定中の冷凍室設定温度を記憶する智能設定温度記憶手段とを備え、智能設定検出手段より智能設定を検出し、智能設定中に電源事情が不安定な場所や瞬時停電により電源が停止し、再度電源が入ると智能設定が解除されることなく智能設定から開始し、智能設定中の冷凍室温度設定が解除されることなく智能設定中の冷凍室設定温度から開始するようにした請求項１に記載の冷蔵庫の制御装置。
【発明の詳細な説明】
【技術分野】
【０００１】
本発明は、冷蔵庫の温度制御装置に関するものである。
【背景技術】
【０００２】
従来、冷蔵庫の冷凍室設定温度を変えることにより、送風機と圧縮機の動作により制御を行い冷却能力の最適化を行うものがある（例えば、特許文献１参照）。
【０００３】
図１３は、従来の冷蔵庫の運転装置の断面図を示すものである。図１３において、１は冷蔵庫本体で、区画壁２により上部に冷蔵室３、野菜室４、下部に冷凍室５、製氷室６に区画されている。７は圧縮機であり、８は凝縮器であり、前記冷蔵庫本体１の外壁内側に設けられている。９は冷凍室冷却器、１０は吸入管であり１１は冷蔵室冷却器、冷凍室５と冷蔵室３の冷却切替を行うＤＣステッピングモーター仕様の切替弁１２である。前記圧縮機７、凝縮器８、減圧器（図示せず）、冷凍冷却器９、冷蔵冷却器１１、吸入管１０、切替弁１２は冷凍室と冷蔵室を直列に冷却を行い一連の冷凍サイクルを行っている。冷凍室５の温度を検出する冷凍室温度検出手段１３と、冷凍室５の温度を設定する冷凍室温度設定手段１４、外気温度を検出する外気温度検出手段１５である。冷凍室温度検出手段１３により検出した庫内温度と冷凍室温度設定手段１４と外気温度検出手段１５により、冷凍室設定温度の補正を行う冷凍室設定温度補正手段１６である。冷凍室温度検出手段１４と外気温度検出手段１５は庫内負荷の増大による冷凍室設定温度補正手段１６により、冷凍室設定温度の補正を行い、庫内送風機１７を駆動する庫内送風機駆動手段１８、圧縮機７を駆動する圧縮機駆動手段１９により構成されている。
【０００４】
図１４は、従来の冷蔵庫のフローチャートを示すものである。
【０００５】
まず、電源を投入すると、ステップ１００として冷凍室温度の検出を行う冷凍室温度検出手段１３を読み込み、ステップ１０１で冷凍室設定温度の検出を行う冷凍室温度設定手段１４を読み込み、ステップ１０２で外気温度の検出を行う外気温度検出手段１５を読込み、ステップ１０３で冷凍室設定温度補正手段１６により冷凍室温度設定の補正を行う。ステップ１０４で冷凍室温度が冷凍室設定温度より高い場合、ステップ１０５で圧縮機駆動手段１９により圧縮機７を駆動する。ステップ１０６で庫内送風機駆動手段１８により庫内送風機１７を駆動する。ステップ１０７で冷凍室温度が冷凍室設定温度より低い場合、ステップ１０８で圧縮機駆動手段１９により圧縮機７を停止する。ステップ１０９で庫内送風機駆動手段１８により庫内送風機１７を停止させる。この作用を繰り返して、通常の冷却運転が行われる。
【０００６】
以上のように構成された冷蔵庫の運転装置について、以下その動作を説明する。
【０００７】
まず、冷凍室を冷却する場合、冷凍室温度検出手段１３により検出した冷凍室温度と、冷凍室温度設定手段１４により設定された設定温度を検出し、外気温度検出手段１５と冷凍室温度検出手段１３により、冷凍室設定温度の補正を行う冷凍室設定温度補正手段１６を決定する。冷凍室温度と冷凍室設定温度を比較し、庫内送風機１７の駆動を行う庫内送風機駆動手段１８と、圧縮機７の駆動を行う圧縮機駆動手段１９で構成される。この時、外気温度と冷凍室温度により設定温度の補正を行い、外気温度と庫内温度が高い場合は、設定温度を引きさげ、外気温度と庫内温度が低い場合は、設定温度を引上げて、圧縮機と、庫内送風機を動作させるようにして冷却付加に応じた冷却能力で運動できるように構成されている。
【特許文献１】特開平５−１４１８３８号公報
【発明の開示】
【発明が解決しようとする課題】
【０００８】
しかしながら、上記従来の構成は、冷凍室温度と設定温度の温度差により設定温度を変えているが、外気温度と冷凍室温度が高い場合、冷凍室設定温度を引下げの補正が働くため冷凍室が冷えすぎ、又外気温度と冷凍室温度が低い場合、冷凍室設定温度を引上げの補正が働くため冷凍室が冷えにくくなるというという課題を有していた。
【０００９】
本発明は従来の課題を解決するもので、周囲環境条件によらず、冷凍室の温度を一定温度に保つことができる冷蔵庫の運転装置を提供することを目的とする。
【課題を解決するための手段】
【００１０】
上記従来の課題を解決するために、本発明の冷蔵庫の制御装置は、智能設定スイッチを押すことで、運転率に応じて、外気温度別に設定温度を補正し、圧縮機回転数と庫内送風機の回転数を可変させるようにしたものである。
【００１１】
これによって、運転率に応じて、外気温度別に設定温度を補正し、圧縮機回転数と庫内送風機の回転数を可変させることで、冷凍室の温度を一定温度に保つことができる。
【発明の効果】
【００１２】
本発明の冷蔵庫の制御装置は、智能設定スイッチを押すことで、運転率に応じて、外気温度別に設定温度を補正し、圧縮機回転数と庫内送風機の回転数を可変させることで、冷凍室の温度を一定温度に保つことができる。
【発明を実施するための最良の形態】
【００１３】
請求項１に記載の発明は、冷凍室温度を検出する冷凍室温度検出手段と、冷凍室温度を設定する冷凍室温度設定手段と、外気温度を検出する外気温度検出手段と、智能設定を検出する智能設定検出手段と、運転率の算出を行う運転率演算測定手段と、前記外気温度検出手段と前記運転率算出手段とから冷凍室設定温度を補正する冷凍室温度設定補正手段と、圧縮機の回転数を指令する圧縮機回転数決定手段と、圧縮機回転数決定手段より決定された回転数にて圧縮機を駆動する圧縮機駆動手段と、庫内送風機の回転数を指令する庫内送風機回転数決定手段と、庫内送風機回転数決定手段より決定された回転数にて庫内送風機を駆動する庫内送風機駆動手段を備え、智能設定検出手段より智能設定を検出し、運転率演算測定手段と外気温度検出手段から運転率と外気温度に応じて、冷凍室温度設定補正手段により冷凍室設定温度の補正を行い、圧縮機回転数決定手段と庫内送風機決定手段により圧縮機回転数と庫内送風機回転数の可変を行い圧縮機と庫内送風機の駆動を行うようにしたものであり、智能設定スイッチを押すことで、運転率に応じて、外気温度別に設定温度を補正し、圧縮機回転数と庫内送風機の回転数を可変させることで、冷凍室の温度を一定温度に保つことができる。
【００１４】
請求項２に記載の発明は、請求項１に記載の発明において、ドア開閉の検出を行うドア開閉検出手段と、霜取りヒーターの通電を行う霜取りヒーター駆動手段と、霜取り周期を補正する霜取りヒーター周期補正手段と、霜取りヒーターの周期を決定する霜取りヒーター周期決定手段と、圧縮機の積算時間を測定する圧縮機積算測定手段とを備え、智能設定検出手段より智能設定を検出し、智能設定中にドア開閉検出手段からドア開回数に応じて、霜取り周期補正手段より霜取り周期の補正を行い、霜取り周期決定手段とし、圧縮機積算時間測定手段と霜取り周期決定手段を比較し、霜取り周期駆動手段により霜取りヒーターの通電を行うようにしたものであり、智能設定スイッチを押すことで、運転率に応じて、外気温度別に設定温度を補正し、圧縮機回転数と庫内送風機の回転数を可変させ、ドア開時間に応じて霜取り周期を変えて霜取り不良をなくすことができる。
【００１５】
請求項３に記載の発明は、請求項１に記載の発明において、圧縮機の連続運転時間を測定する圧縮機運転時間測定手段と、機械室送風機の回転数制御を行う機械室送風機回転数決定手段と、機械室送風機を駆動する機械室送風機駆動手段を備え、智能設定検出手段より智能設定を検出し、圧縮機運転時間測定手段より、圧縮機の連続運転時間が所定時間以上になると機械室送風機回転数手段と庫内送風機回転数駆動手段により回転数を上げ、機械室送風機駆動手段、庫内送風機駆動手段により機械室、庫内送風機を駆動し、庫内送風機を高速回転させて庫内冷却を図り、機械室送風機を高速回転するようにしたものであり、智能設定スイッチを押すことで、運転率に応じて、外気温度別に設定温度を補正し、圧縮機回転数と庫内送風機の回転数を可変させ、圧縮機運転時間が一定時間継続すると、庫内送風機を高速回転させて庫内冷却を図り、機械室送風機を高速回転することで、機械室の温度を下げ圧縮機の巻線温度上昇を抑えることができる。
【００１６】
請求項４に記載の発明は、請求項１に記載の発明において、製氷時間の補正を行う製氷時間補正手段により製氷時間を決定する製氷時間決定手段と、製氷開始温度の補正を行う製氷温度補正手段により製氷温度を決定製氷温度決定手段と、製氷モーターを駆動させる製氷モーター駆動手段と、給水量の補正を行う給水量補正手段により給水量を決定する給水量決定手段と、給水モーターを駆動する給水モーター駆動手段とを備え、智能設定手段より智能設定を検出し、製氷時間補正手段より製氷時間を短縮し、製氷温度補正手段より製氷温度を引上げて、給水量補正手段より給水量を減らすようにしたものであり、智能設定スイッチを押すことで、運転率に応じて、外気温度別に設定温度を補正し、圧縮機回転数と庫内送風機の回転数を可変させ、給水量を減らし、製氷時間を短縮することで、製氷時間と氷の数量を増やすことができる。
【００１７】
請求項５に記載の発明は、請求項１に記載の発明において、冷凍室温度が冷凍室設定温度に到達すると、操作基板の電源供給を遮断する操作基板電源供給手段と、操作基板の電源供給を遮断している時間を測定する電源停止測定手段とを備え、智能設定検出手段より智能設定を検出し、智能設定中に冷凍室温度が冷凍室設定温度以下になると、操作基板電源供給手段により操作基板の電源供給を停止し、電源停止測定手段により停止時間の測定を行い、操作基板の電源供給停止と、圧縮機の駆動停止を行うようにしたものであり、智能設定スイッチを押すことで、運転率に応じて、外気温度別に設定温度を補正し、圧縮機回転数と庫内送風機の回転数を可変させ、設定温度以下になると、一定時間、操作基板の電源供給を遮断し、圧縮機を停止させることで、消費電力を抑えることができる。
【００１８】
請求項６に記載の発明は、請求項１に記載の発明において、智能設定検出手段により智能設定が設定されると、智能設定の状態を記憶する智能設定記憶手段と、智能設定中の冷凍室設定温度を記憶する智能設定温度記憶手段とを備え、智能設定検出手段より智能設定を検出し、智能設定中に電源事情が不安定な場所や瞬時停電により電源が停止し、再度電源が入ると智能設定が解除されることなく智能設定から開始し、智能設定中の冷凍室温度設定が解除されることなく智能設定中の冷凍室設定温度から開始するようにしたものであり、智能設定スイッチを押すことで、智能設定と冷凍室温度設定を記憶することで、電源事情が不安定な場所や瞬時停電が発生しても、智能設定中の状態を記憶することができる。
【００１９】
（実施の形態１）
図１は、本発明の実施の形態１における冷蔵庫の制御装置の断面図である。図２は、同実施例の冷蔵庫の運転装置のフローチャートである。
【００２０】
図１、図２において、智能設定検出手段２０より智能設定を検出し、運転率演算測定手段２１より冷蔵庫運転率の演算を行う。庫内送風機回転数決定手段２２は、庫内回転数を可変させ決定された回転数にて、庫内送風機１７を駆動する庫内送風機駆動手段１８からなり、圧縮機回転数決定手段２３は、圧縮機回転数を可変させ決定された回転数にて、圧縮機７を駆動する圧縮機駆動手段１９からなる。
【００２１】
以上のように構成された冷蔵庫の運転装置について、以下にその動作を図２のフローチャートをもとに説明する。
【００２２】
まず、電源を投入すると、ステップ２００として冷凍室温度の検出を行う冷凍室温度検出手段１３を読み込み、ステップ２０１で冷凍室設定温度の検出を行う冷凍室温度設定手段１４を読み込み、ステップ２０２で外気温度検出手段１５より外気温度を読み込む。智能設定検出手段２０より智能設定の場合はステップ２０３で、外気温度がＡ１℃以上の場合はステップ２０４となり、運転率演算測定手段２１より運転率がＮ１％以上の場合はステップ２０５となり、ステップ２０６で冷凍室温度設定補正手段１４より設定温度をＢ１℃加え、圧縮機回転数決定手段２３より圧縮機回転数をＭ１加え、庫内送風機回転数決定手段２２より庫内送風機の回転数をＳ１加える。運転率演算測定手段２１より運転率がＮ２％以上の場合はステップ２０８となり、ステップ２０９で冷凍室温度設定補正手段１４より設定温度をＢ２℃加え、圧縮機回転数決定手段２３より圧縮機回転数をＭ２加え、庫内送風機回転数決定手段２２より庫内送風機の回転数をＳ２加える。運転率演算測定手段２１より運転率がＮ２％以下の場合はステップ２１０となり、ステップ２１１で冷凍室温度設定補正手段１４より設定温度をＢ３℃減らし、圧縮機回転数決定手段２３より圧縮機回転数をＭ３減らし、庫内送風機回転数決定手段２２より庫内送風機の回転数をＳ３減らす。ステップ２１２で、外気温度がＡ１℃以下の場合は、運転率演算測定手段２１より運転率がＮ３％以上の場合はステップ２１３となり、ステップ２１４で冷凍室温度設定補正手段１４より設定温度をＢ４℃加え、圧縮機回転数決定手段２３より圧縮機回転数をＭ４加え、庫内送風機回転数決定手段２２より庫内送風機の回転数をＳ４加える。ステップ２１５で、運転率演算測定手段２１より運転率がＮ４％以上の場合はステップ２１６となり、ステップ２１７で冷凍室温度設定補正手段１４より設定温度をＢ５℃加え、圧縮機回転数決定手段２３より圧縮機回転数をＭ５加え、庫内送風機回転数決定手段２２より庫内送風機の回転数をＳ５加える。運転率演算測定手段２１より運転率がＮ４％以下の場合はステップ２１８となり、ステップ２１９で冷凍室温度設定補正手段１４より設定温度をＢ６℃減らし、圧縮機回転数決定手段２３より圧縮機回転数をＭ６減らし、庫内送風機回転数決定手段２２より庫内送風機の回転数をＳ６減らす。ステップ２２０で冷凍室温度が冷凍室設定温度より高い場合、ステップ２２１で圧縮機駆動手段１９により圧縮機７を駆動する。ステップ２２２で庫内送風機駆動手段１８により庫内送風機１７を駆動する。ステップ２２３で冷凍室温度が冷凍室設定温度より低い場合、ステップ２２４で圧縮機駆動手段１９により圧縮機７を停止する。ステップ２２５で庫内送風機駆動手段１８により庫内送風機１７を停止させる。この作用を繰り返して、通常の冷却運転が行われる。
【００２３】
以上のように構成された冷蔵庫の制御装置について、以下その動作、作用を説明する。
【００２４】
まず、智能設定検出手段２０より智能設定を検出すると、運転率演算測定手段２１より冷蔵庫運転率を算出し、冷凍室温度設定補正手段により冷凍室設定温度の補正を行い、圧縮機回転数決定手段２３により圧縮機回転数を可変させ、圧縮機回転数決定手段により決定された回転数にて、圧縮機駆動手段２１により圧縮機７を駆動する。また、庫内送風機回転数決定手段２２より庫内送風機回転数を可変させ、庫内送風機回転数決定手段２２により決定された回転数にて、庫内送風機を駆動する。
【００２５】
以上のように、本実施の形態においては智能設定が開始されると、運転率に応じて、外気温度別に設定温度を補正し、圧縮機回転数と庫内送風機の回転数を可変させることで、冷凍室の温度を一定温度に保つことができる。
【００２６】
（実施の形態２）
図３は、本発明の実施の形態２における冷蔵庫の制御装置の断面図である。図４は、同実施例の冷蔵庫の運転装置のフローチャートである。
【００２７】
図３、図４において、ドア開閉の検出を行うドア開閉検出手段２４と、冷凍室冷却器９の霜取りを行う霜取りヒーター２５と、霜取りヒーター２５の通電を行う霜取りヒーター駆動手段２６と、霜取り周期を補正する霜取り周期補正手段２７と、霜取りの周期を決定する霜取り周期決定手段２８と、圧縮機の積算時間を測定する圧縮機積算時間測定手段２９とからなる。
【００２８】
以上のように構成された冷蔵庫の運転装置について、以下にその動作を図４のフローチャートをもとに説明する。
【００２９】
まず、電源を投入すると、ステップ３００として冷凍室温度の検出を行う冷凍室温度検出手段１３を読み込み、ステップ３０１で冷凍室設定温度の検出を行う冷凍室温度設定手段１４を読み込み、ステップ３０２で外気温度検出手段１５より外気温度を読み込む。智能設定検出手段２０より智能設定の場合はステップ３０３で、外気温度がＡ１℃以上の場合はステップ３０４となり、運転率演算測定手段２１より運転率がＮ１％以上の場合はステップ３０５となり、ステップ３０６で冷凍室温度設定補正手段１４より設定温度をＢ１℃加え、圧縮機回転数決定手段２３より圧縮機回転数をＭ１加え、庫内送風機回転数決定手段２２より庫内送風機１７の回転数をＳ１加える。ステップ３０７で運転率演算測定手段２１より運転率がＮ２％以上の場合はステップ３０８となり、ステップ３０９で冷凍室温度設定補正手段１４より設定温度をＢ２℃加え、圧縮機回転数決定手段２３より圧縮機回転数をＭ２加え、庫内送風機回転数決定手段２２より庫内送風機１７の回転数をＳ２加える。運転率演算測定手段２１より運転率がＮ２％以下の場合はステップ３１０となり、ステップ３１１で冷凍室温度設定補正手段１４より設定温度をＢ３℃減らし、圧縮機回転数決定手段２３より圧縮機回転数をＭ３減らし、庫内送風機回転数決定手段２２より庫内送風機１７の回転数をＳ３減らす。ステップ３１２で、外気温度がＡ１℃以下で、運転率演算測定手段２１より運転率がＮ３％以上の場合はステップ３１３となり、ステップ３１４で冷凍室温度設定補正手段１４より設定温度をＢ４℃加え、圧縮機回転数決定手段２３より圧縮機回転数をＭ４加え、庫内送風機回転数決定手段２２より庫内送風機１７の回転数をＳ４加える。ステップ３１５で運転率演算測定手段２１より運転率がＮ４％以上の場合はステップ３１６となり、ステップ３１７で冷凍室温度設定補正手段１４より設定温度をＢ５℃加え、圧縮機回転数決定手段２３より圧縮機回転数をＭ５加え、庫内送風機回転数決定手段２２より庫内送風機１７の回転数をＳ５加える。運転率演算測定手段２１より運転率がＮ４％以下の場合はステップ３１８となり、ステップ３１９で冷凍室温度設定補正手段１４より設定温度をＢ６℃減らし、圧縮機回転数決定手段２３より圧縮機回転数をＭ６減らし、庫内送風機回転数決定手段２２より庫内送風機１７の回転数をＳ６減らす。ステップ３２０でドア開閉検出手段によりドアがＰ１回以上開けられると、ステップ３２１で霜取り周期補正手段により霜取り周期をＭ１減らす。ステップ３２２でドアがＰ１回未満で、ステップ３２３でＰ２回以上開けられた場合、ステップ３２４で霜取り周期補正手段により霜取り周期をＭ２減らす。ステップ３２５でドアがＰ２回未満で、ステップ３２６で霜取り周期補正手段により霜取り周期をＭ３増やす。ステップ３２７で圧縮機積算時間測定手段２９より圧縮機積算時間が霜取り周期補正手段２７おいて補正された霜取り周期決定手段２８の霜取り周期を超えると、ステップ３２８で霜取りヒーター駆動手段２６により霜取りヒーター２５をＯＮさせる。ステップ３２９で圧縮機駆動手段１９により圧縮機７を停止する。ステップ３３０で庫内送風機駆動手段１８により庫内送風機１７を停止させる。ステップ３３１で圧縮機積算時間が霜取り周期を超えない場合、ステップ３３２で、冷凍室温度が冷凍室設定温度より高い場合、ステップ３３３で圧縮機駆動手段１９により圧縮機７を駆動する。ステップ３３４で庫内送風機駆動手段１８により庫内送風機１７を駆動する。ステップ３３５で冷凍室温度が冷凍室設定温度より低い場合、ステップ３３６で圧縮機駆動手段１９により圧縮機７を停止する。ステップ３３７で庫内送風機駆動手段１８により庫内送風機１７を停止させる。この作用を繰り返して、通常の冷却運転が行われる。
【００３０】
以上のように構成された冷蔵庫の制御装置について、以下その動作、作用を説明する。
【００３１】
まず、智能設定検出手段２０より智能設定を検出すると、運転率演算測定手段２１より冷蔵庫運転率を算出し、冷凍室温度設定補正手段により冷凍室設定温度の補正を行い、圧縮機回転数決定手段２３により圧縮機回転数を可変させ、圧縮機回転数決定手段により決定された回転数にて、圧縮機７を駆動する。また、庫内送風機回転数決定手段２２より庫内送風機回転数を可変させ、庫内送風機回転数決定手段２２により決定された回転数にて、庫内送風機１７を駆動する。また、ドア開閉回数検出手段よりドア開閉回数に応じて霜取り時間補正手段にて霜取り時間を補正する。また、圧縮機積算時間測定手段と霜取り周期を決定する霜取りヒーター周期決定手段を比較し、霜取りヒーターを駆動させる。
【００３２】
以上のように、智能設定検出手段より智能設定を検出し、智能設定中にＰＣドア開閉検出手段からドア開回数に応じて、霜取り周期補正手段より霜取り周期の補正を行い、霜取り周期決定手段とし、圧縮機積算時間測定手段と霜取り周期決定手段を比較し、霜取り周期駆動手段により霜取りヒーターの通電を行うことで、ドア開時間に応じて霜取り周期を変えて霜取り不良をなくすことができる。
【００３３】
（実施の形態３）
図５は、本発明の実施の形態３における冷蔵庫の制御装置の断面図である。図６は、同実施例の冷蔵庫の運転装置のフローチャートである。
【００３４】
図５、図６において、圧縮機の連続運転時間を測定する圧縮機運転時間測定手段３０と、機械室送風機３１を回転数制御を行う機械室送風機回転数決定手段３２と、機械室送風機を駆動する機械室送風機駆動手段３３からなる。
【００３５】
以上のように構成された冷蔵庫の運転装置について、以下にその動作を図６のフローチャートをもとに説明する。
【００３６】
まず、電源を投入すると、ステップ４００として冷凍室温度の検出を行う冷凍室温度検出手段１３を読み込み、ステップ４０１で冷凍室設定温度の検出を行う冷凍室温度設定手段１４を読み込み、ステップ４０２で外気温度検出手段１５より外気温度を読み込む。智能設定検出手段２０より智能設定の場合はステップ４０３で、外気温度がＡ１℃以上の場合はステップ４０４となり、運転率演算測定手段２１より運転率がＮ１％以上の場合はステップ４０５となり、ステップ４０６で冷凍室温度設定補正手段１４より設定温度をＢ１℃加え、圧縮機回転数決定手段２３より圧縮機回転数をＭ１加え、庫内送風機回転数決定手段２２より庫内送風機の回転数をＳ１加える。ステップ４０７で運転率演算測定手段２１より運転率がＮ２％以上の場合はステップ４０８となり、ステップ４０９で冷凍室温度設定補正手段１４より設定温度をＢ２℃加え、圧縮機回転数決定手段２３より圧縮機回転数をＭ２加え、庫内送風機回転数決定手段２２より庫内送風機の回転数をＳ２加える。運転率演算測定手段２１より運転率がＮ２％以下の場合はステップ４１０となり、ステップ４１１で冷凍室温度設定補正手段１４より設定温度をＢ３℃減らし、圧縮機回転数決定手段２３より圧縮機回転数をＭ３減らし、庫内送風機回転数決定手段２２より庫内送風機の回転数をＳ３減らす。ステップ４１２で、外気温度がＡ１℃以下で、運転率演算測定手段２１より運転率がＮ３％以上の場合はステップ４１３となり、ステップ４１４で冷凍室温度設定補正手段１４より設定温度をＢ４℃加え、圧縮機回転数決定手段２３より圧縮機回転数をＭ４加え、庫内送風機回転数決定手段２２より庫内送風機の回転数をＳ４加える。ステップ４１５で運転率演算測定手段２１より運転率がＮ４％以上の場合はステップ４１６となり、ステップ４１７で冷凍室温度設定補正手段１４より設定温度をＢ５℃加え、圧縮機回転数決定手段２３より圧縮機回転数をＭ５加え、庫内送風機回転数決定手段２２より庫内送風機の回転数をＳ５加える。運転率演算測定手段２１より運転率がＮ４％以下の場合はステップ４１８となり、ステップ４１９で冷凍室温度設定補正手段１４より設定温度をＢ６℃減らし、圧縮機回転数決定手段２３より圧縮機回転数をＭ６減らし、庫内送風機回転数決定手段２２より庫内送風機の回転数をＳ６減らす。ステップ４２０で圧縮機運転時間定手段３０よりＴ時間以上経過すると、ステップ４２１で、機械室送風機回転数決定手段３２より機械室送風機３１の回転数をＭ１増やし、機械室送風機駆動手段３３より機械室送風機３１を駆動させる。庫内送風機回転数決定手段２２より庫内送風機回転数の回転数をＳ７増やす。ステップ４２２で、冷凍室温度が冷凍室設定温度より高い場合、ステップ４２３で圧縮機駆動手段１９により圧縮機７を駆動する。ステップ４２４で庫内送風機駆動手段１８により庫内送風機１７を駆動する。ステップ４２５で冷凍室温度が冷凍室設定温度より低い場合、ステップ４２６で圧縮機駆動手段１９により圧縮機７を停止する。ステップ４２７で庫内送風機駆動手段１８により庫内送風機１７を停止させる。この作用を繰り返して、通常の冷却運転が行われる。
【００３７】
以上のように、智能設定検出手段より智能設定を検出し、圧縮機連続運転時間測定手段より、圧縮機の連続運転時間が所定時間以上になると機械室送風機回転数手段と庫内送風機回転数駆動手段により回転数を上げ、機械室送風機駆動手段、庫内送風機駆動手段により機械室、庫内送風機を駆動し、庫内送風機を高速回転させて庫内冷却を図り、機械室送風機を高速回転することで、機械室の温度を下げ圧縮機の巻線温度上昇を抑えることができる。
【００３８】
（実施の形態４）
図７は、本発明の実施の形態４における冷蔵庫の制御装置の断面図である。図８は、同実施例の冷蔵庫の運転装置のフローチャートである。
【００３９】
図７、図８において、製氷時間の補正を行う製氷時間補正手段３４より製氷時間を決定する製氷時間決定手段３５と、製氷開始温度の補正を行う製氷温度補正手段３６により製氷温度を決定する製氷温度決定手段３７と、製氷モーター３８を駆動させる製氷モーター駆動手段３９と、給水量の補正を行う給水量補正手段４０により給水量を決定する給水量決定手段４１と、給水モーター４２を駆動する給水モーター駆動手段４３からなる。
【００４０】
以上のように構成された冷蔵庫の運転装置について、以下にその動作を図８のフローチャートをもとに説明する。
【００４１】
まず、電源を投入すると、ステップ５００として冷凍室温度の検出を行う冷凍室温度検出手段１３を読み込み、ステップ５０１で冷凍室設定温度の検出を行う冷凍室温度設定手段１４を読み込み、ステップ５０２で外気温度検出手段１５より外気温度を読み込む。智能設定検出手段２０より智能設定の場合はステップ５０３で、外気温度がＡ１℃以上の場合はステップ５０４となり、運転率演算測定手段２１より運転率がＮ１％以上の場合はステップ５０５となり、ステップ５０６で冷凍室温度設定補正手段１４より設定温度をＢ１℃加え、圧縮機回転数決定手段２３より圧縮機回転数をＭ１加え、庫内送風機回転数決定手段２２より庫内送風機の回転数をＳ１加える。ステップ５０７で運転率演算測定手段２１より運転率がＮ２％以上の場合はステップ５０８となり、ステップ５０９で冷凍室温度設定補正手段１４より設定温度をＢ２℃加え、圧縮機回転数決定手段２３より圧縮機回転数をＭ２加え、庫内送風機回転数決定手段２２より庫内送風機の回転数をＳ２加える。運転率演算測定手段２１より運転率がＮ２％以下の場合はステップ５１０となり、ステップ５１１で冷凍室温度設定補正手段１４より設定温度をＢ３℃減らし、圧縮機回転数決定手段２３より圧縮機回転数をＭ３減らし、庫内送風機回転数決定手段２２より庫内送風機の回転数をＳ３減らす。ステップ５１２で、外気温度がＡ１℃以下で、運転率演算測定手段２１より運転率がＮ３％以上の場合はステップ５１３となり、ステップ５１４で冷凍室温度設定補正手段１４より設定温度をＢ４℃加え、圧縮機回転数決定手段２３より圧縮機回転数をＭ４加え、庫内送風機回転数決定手段２２より庫内送風機の回転数をＳ４加える。ステップ５１５で運転率演算測定手段２１より運転率がＮ４％以上の場合はステップ５１６となり、ステップ５１７で冷凍室温度設定補正手段１４より設定温度をＢ５℃加え、圧縮機回転数決定手段２３より圧縮機回転数をＭ５加え、庫内送風機回転数決定手段２２より庫内送風機の回転数をＳ５加える。運転率演算測定手段２１より運転率がＮ４％以下の場合はステップ５１８となり、ステップ５１９で冷凍室温度設定補正手段１４より設定温度をＢ６℃減らし、圧縮機回転数決定手段２３より圧縮機回転数をＭ６減らし、庫内送風機回転数決定手段２２より庫内送風機の回転数をＳ６減らす。ステップ５２０で製氷時間補正手段３４により製氷時間を通常よりも短くし、ステップ５２１で製氷温度補正手段３６により製氷温度を通常よりも上げて、ステップ５２２で製氷時間補正手段３４より決められた製氷時間決定手段３５がＴ時間以上の場合、ステップ５２３で製氷温度補正手段３６により決められた製氷温度決定手段３７がＴ１℃よりも低いとステップ５２４で製氷モーター駆動手段３９にて製氷モーター３８を駆動させる。ステップ５２５で給水量補正手段４０より給水量を少なくし、ステップ５２６で給水量補正手段４０より決められた給水量決定手段４１がＴ２以下でステップ５２７で給水モーター駆動手段４３にて給水モーター４２を駆動させる。ステップ５２８で、冷凍室温度が冷凍室設定温度より高い場合、ステップ５２９で圧縮機駆動手段１９により圧縮機７を駆動する。ステップ５３０で庫内送風機駆動手段１８により庫内送風機１７を駆動する。ステップ５３１で冷凍室温度が冷凍室設定温度より低い場合、ステップ５３２で圧縮機駆動手段１９により圧縮機７を停止する。ステップ５３３で庫内送風機駆動手段１８により庫内送風機１７を停止させる。この作用を繰り返して、通常の冷却運転が行われる。
【００４２】
以上のように構成された冷蔵庫の制御装置について、以下その動作、作用を説明する。
【００４３】
まず、製氷時間の補正を行う製氷時間補正手段により製氷時間を決定し、製氷開始温度の補正を行う製氷温度補正手段により製氷温度を決定する。また、製氷モーターを駆動させる製氷モーター駆動手段と、給水量の補正を行う給水量補正手段により給水量を決定し、給水モーターを駆動する。
【００４４】
以上のように、本実施の形態においては、智能設定手段より智能設定を検出し、製氷時間補正手段より製氷時間を短縮し、製氷温度補正手段より製氷温度を引上げて、給水量補正手段より給水量を減らすことで、製氷時間を短くし氷の数量を増やすことができる。
【００４５】
（実施の形態５）
図９は、本発明の実施の形態５における冷蔵庫の制御装置の断面図である。図１０は、同実施例の冷蔵庫の運転装置のフローチャートである。
【００４６】
図９、図１０において、冷凍室温度が冷凍室設定温度に到達すると、操作基板の電源供給を遮断する操作基板電源供給手段４４と、操作基板の電源供給を遮断している時間を計測する電源停止測定手段４５からなる。
【００４７】
以上のように構成された冷蔵庫の運転装置について、以下にその動作を図１０のフローチャートをもとに説明する。
【００４８】
まず、電源を投入すると、ステップ６００として冷凍室温度の検出を行う冷凍室温度検出手段１３を読み込み、ステップ６０１で冷凍室設定温度の検出を行う冷凍室温度設定手段１４を読み込み、ステップ６０２で外気温度検出手段１５より外気温度を読み込む。智能設定検出手段２０より智能設定の場合はステップ６０３で、外気温度がＡ１℃以上の場合はステップ６０４となり、運転率演算測定手段２１より運転率がＮ１％以上の場合はステップ６０５となり、ステップ６０６で冷凍室温度設定補正手段１４より設定温度をＢ１℃加え、圧縮機回転数決定手段２３より圧縮機回転数をＭ１加え、庫内送風機回転数決定手段２２より庫内送風機の回転数をＳ１加える。ステップ６０７で運転率演算測定手段２１より運転率がＮ２％以上の場合はステップ６０８となり、ステップ６０９で冷凍室温度設定補正手段１４より設定温度をＢ２℃加え、圧縮機回転数決定手段２３より圧縮機回転数をＭ２加え、庫内送風機回転数決定手段２２より庫内送風機の回転数をＳ２加える。運転率演算測定手段２１より運転率がＮ２％以下の場合はステップ６１０となり、ステップ６１１で冷凍室温度設定補正手段１４より設定温度をＢ３℃減らし、圧縮機回転数決定手段２３より圧縮機回転数をＭ３減らし、庫内送風機回転数決定手段２２より庫内送風機の回転数をＳ３減らす。ステップ６１２で、外気温度がＡ１℃以下で、運転率演算測定手段２１より運転率がＮ３％以上の場合はステップ６１３となり、ステップ６１４で冷凍室温度設定補正手段１４より設定温度をＢ４℃加え、圧縮機回転数決定手段２３より圧縮機回転数をＭ４加え、庫内送風機回転数決定手段２２より庫内送風機の回転数をＳ４加える。ステップ６１５で運転率演算測定手段２１より運転率がＮ４％以上の場合はステップ６１６となり、ステップ６１７で冷凍室温度設定補正手段１４より設定温度をＢ５℃加え、圧縮機回転数決定手段２３より圧縮機回転数をＭ５加え、庫内送風機回転数決定手段２２より庫内送風機の回転数をＳ５加える。運転率演算測定手段２１より運転率がＮ４％以下の場合はステップ６１８となり、ステップ６１９で冷凍室温度設定補正手段１４より設定温度をＢ６℃減らし、圧縮機回転数決定手段２３より圧縮機回転数をＭ６減らし、庫内送風機回転数決定手段２２より庫内送風機の回転数をＳ６減らす。ステップ６２０で、冷凍室温度が冷凍室設定温度より高い場合、ステップ６２１で電源停止測定手段４５よりＮ分経過するまで、ステップ６２２で操作基板電源供給手段４４より操作基板の電源供給を停止させ、ステップ６２３で圧縮機駆動手段１９により圧縮機７を停止する。ステップ６２４で庫内送風機駆動手段１８により庫内送風機１７を停止させる。ステップ６２５で電源停止測定手段４５よりＮ分経過すると、ステップ６２６で操作基板電源供給手段４４より操作基板の電源供給を通電させ、ステップ６２７で圧縮機駆動手段１９により圧縮機７を駆動する。ステップ６２８で庫内送風機駆動手段１８により庫内送風機１７を駆動する。ステップ６２９で、冷凍室温度が冷凍室設定温度より低い場合、ステップ６３０で操作基板電源供給手段より操作基板の電源供給を通電させ、ステップ６３１で圧縮機駆動手段１９により圧縮機７を駆動する。ステップ６３２で庫内送風機駆動手段１８により庫内送風機１７を駆動する。この作用を繰り返して、通常の冷却運転が行われる。
【００４９】
以上のように構成された冷蔵庫の制御装置について、以下その動作、作用を説明する。
【００５０】
まず、冷凍室温度が冷凍室設定温度に到達すると、操作基板の電源供給を遮断する。そして電源停止測定手段により操作基板の電源供給を遮断している時間を計測する。
【００５１】
以上のように、本実施の形態においては、智能設定検出手段より智能設定を検出し、智能設定中に冷凍室温度が冷凍室設定温度以下になると、操作基板電源供給手段により操作基板の電源供給を停止し、電源停止測定手段により停止時間の測定を行い、操作基板の電源供給停止と圧縮機の駆動を停止することで、消費電力を抑えることができる。
【００５２】
（実施の形態６）
図１１は、本発明の実施の形態１における冷蔵庫の制御装置の断面図である。図１２は、同実施例の冷蔵庫の運転装置のフローチャートである。
【００５３】
図１１、図１２において、智能設定検出手段２０より智能設定を検出し、智能設定記憶手段４６により智能設定状態を記憶し、冷凍室設定状態を記憶する冷凍室設定温度記憶手段４７からなる。
【００５４】
以上のように構成された冷蔵庫の運転装置について、以下にその動作を図１２のフローチャートをもとに説明する。
【００５５】
まず、電源を投入すると、ステップ７００として冷凍室温度の検出を行う冷凍室温度検出手段１３を読み込み、ステップ７０１で冷凍室設定温度の検出を行う冷凍室温度設定手段１４を読み込み、ステップ７０２で外気温度検出手段１５より外気温度を読み込む。智能設定検出手段２０より智能設定の場合はステップ７０３で、外気温度がＡ１℃以上の場合はステップ７０４となり、運転率演算測定手段２１より運転率がＮ１％以上の場合はステップ７０５となり、ステップ７０６で冷凍室温度設定補正手段１４より設定温度をＢ１℃加え、圧縮機回転数決定手段２３より圧縮機回転数をＭ１加え、庫内送風機回転数決定手段２２より庫内送風機の回転数をＳ１加える。運転率演算測定手段２１より運転率がＮ２％以上の場合はステップ７０８となり、ステップ７０９で冷凍室温度設定補正手段１４より設定温度をＢ２℃加え、圧縮機回転数決定手段２３より圧縮機回転数をＭ２加え、庫内送風機回転数決定手段２２より庫内送風機の回転数をＳ２加える。運転率演算測定手段２１より運転率がＮ２％以下の場合はステップ７１０となり、ステップ７１１で冷凍室温度設定補正手段１４より設定温度をＢ３℃減らし、圧縮機回転数決定手段２３より圧縮機回転数をＭ３減らし、庫内送風機回転数決定手段２２より庫内送風機の回転数をＳ３減らす。ステップ２１２で、外気温度がＡ１℃以下の場合は、運転率演算測定手段２１より運転率がＮ３％以上の場合はステップ７１３となり、ステップ７１４で冷凍室温度設定補正手段１４より設定温度をＢ４℃加え、圧縮機回転数決定手段２３より圧縮機回転数をＭ４加え、庫内送風機回転数決定手段２２より庫内送風機の回転数をＳ４加える。ステップ７１５で、運転率演算測定手段２１より運転率がＮ４％以上の場合はステップ７１６となり、ステップ７１７で冷凍室温度設定補正手段１４より設定温度をＢ５℃加え、圧縮機回転数決定手段２３より圧縮機回転数をＭ５加え、庫内送風機回転数決定手段２２より庫内送風機の回転数をＳ５加える。運転率演算測定手段２１より運転率がＮ４％以下の場合はステップ７１８となり、ステップ７１９で冷凍室温度設定補正手段１４より設定温度をＢ６℃減らし、圧縮機回転数決定手段２３より圧縮機回転数をＭ６減らし、庫内送風機回転数決定手段２２より庫内送風機の回転数をＳ６減らす。ステップ７２０で冷凍室温度が冷凍室設定温度より高い場合、ステップ７２１で圧縮機駆動手段１９により圧縮機７を駆動する。ステップ７２２で庫内送風機駆動手段１８により庫内送風機１７を駆動する。ステップ７２３で冷凍室温度が冷凍室設定温度より低い場合、ステップ７２４で圧縮機駆動手段１９により圧縮機７を停止する。ステップ７２５で庫内送風機駆動手段１８により庫内送風機１７を停止させる。この作用を繰り返して、通常の冷却運転が行われる。ステップ７２６で智能設定検出手段２０より智能設定が設定されると、ステップ７２７で智能設定記憶検出手段４６により智能設定状態が記憶され、ステップ７２８で冷凍室設定温度記憶手段４７により冷凍室設定温度状態を記憶する。ステップ７２９で智能設定でない場合は、智能設定記憶手段により通常状態を記憶する。瞬時停電があるとステップ７０３にて智能設定状態と判断してこの作用を繰り返す。
【００５６】
以上のように構成された冷蔵庫の制御装置について、以下その動作、作用を説明する。
【００５７】
まず、智能設定検出手段２０により智能設定が設定されると、智能設定記憶手段４６により智能設定の状態を記憶する。そして冷凍室設定温度記憶手段４７により智能設定中の冷凍室設定温度を記憶する。そして智能設定記憶手段４６と冷凍室設定温度記憶手段４７により、ＥＥＰＲＯＭ等の記憶装置に記憶する。
【００５８】
以上のように、本実施の形態においては智能設定が開始されると、智能設定中に電源事情が不安定な場所や電源の瞬時停電により電源が停止し、再度電源が入ると智能設定が解除されることなく智能設定から開始し、智能設定中の冷凍室温度設定が解除されることなく智能設定中の冷凍室設定温度から開始することができる。
【産業上の利用可能性】
【００５９】
以上のように、本発明にかかる冷蔵庫の制御装置は、智能設定が開始されると、運転率に応じて、外気温度別に設定温度を補正し、圧縮機回転数と庫内送風機の回転数を可変させることで、冷凍室の温度を一定温度に保つことができるので、温度設定制御を利用した制御装置等の用途にも利用できる。
【図面の簡単な説明】
【００６０】
【図１】本発明の実施の形態１における冷蔵庫の制御装置の断面図
【図２】同冷蔵庫のフローチャート
【図３】本発明の実施の形態２における冷蔵庫の制御装置の断面図
【図４】同冷蔵庫のフローチャート
【図５】本発明の実施の形態３における冷蔵庫の制御装置の断面図
【図６】同冷蔵庫のフローチャート
【図７】本発明の実施の形態４における冷蔵庫の制御装置の断面図
【図８】同冷蔵庫のフローチャート
【図９】本発明の実施の形態５における冷蔵庫の制御装置の断面図
【図１０】同冷蔵庫のフローチャート
【図１１】本発明の実施の形態５における冷蔵庫の制御装置の断面図
【図１２】同冷蔵庫のフローチャート
【図１３】従来例の冷蔵庫の制御装置の断面図
【図１４】同冷蔵庫のフローチャート
【符号の説明】
【００６１】
１３  冷凍室温度検出手段
１４  冷凍室温度設定手段
１５  外気温度検出手段
１６  冷凍室設定温度補正手段
１７  庫内送風機
１８  庫内送風機駆動手段
１９  圧縮機駆動手段
２０  智能設定検出手段
２１  運転率演算測定手段
２２  庫内送風機回転数決定手段
２３  圧縮機回転数決定手段
２４  ドア開閉検出手段
２５  霜取りヒーター
２６  霜取りヒーター駆動手段
２７  霜取り周期補正手段
２８  霜取り周期決定手段
２９  圧縮機積算時間測定手段
３０  圧縮機運転時間測定手段
３１  機械室送風機
３２  機械室送風機回転数決定手段
３３  機械室送風機駆動手段
３４  製氷時間補正手段
３５  製氷時間決定手段
３６  製氷温度補正手段
３７  製氷温度決定手段
３８  製氷モーター
３９  製氷モーター駆動手段
４０  給水量補正手段
４１  給水量決定手段
４２  給水モーター
４３  給水モーター駆動手段
４４  操作基板電源供給手段
４５  電源停止測定手段
４６  智能設定記憶手段
４７  冷凍室設定温度記憶手段
【図１】
2005249327.tif 000003
【図２】
2005249327.tif 000004
【図３】
2005249327.tif 000005
【図４】
2005249327.tif 000006
【図５】
2005249327.tif 000007
【図６】
2005249327.tif 000008
【図７】
2005249327.tif 000009
【図８】
2005249327.tif 000010
【図９】
2005249327.tif 000011
【図１０】
2005249327.tif 000012
【図１１】
2005249327.tif 000013
【図１２】
2005249327.tif 000014
【図１３】
2005249327.tif 000015
【図１４】
2005249327.tif 000016